(57)【要約】電力モード設定装置（３００）は、電力制御装置に電力モードを設定する。決定用情報取得部（３０１）は、電力モードと電力モードを設定する期間とを含むスケジュールを決定するための情報である決定用情報を取得する。スケジュール決定部（３０２）は、決定用情報取得部（３０１）により取得された決定用情報に基づいて、スケジュールを決定する。電力モード設定部（３０３）は、スケジュール決定部（３０２）により決定されたスケジュールに基づいて、電力制御装置に電力モードを設定する。
2015159369.tif 000002
【特許請求の範囲】
【請求項１】
商用電力系統、発電装置または蓄電池から供給される電力量と、前記商用電力系統、前記蓄電池または電気機器へ供給する電力量とを、設定された電力モードに従って制御する電力制御装置に、前記電力モードを設定する電力モード設定装置であって、
前記電力モードと前記電力モードを設定する期間とを含むスケジュールを決定するための情報である決定用情報を取得する決定用情報取得手段と、
前記決定用情報取得手段により取得された決定用情報に基づいて、前記スケジュールを決定するスケジュール決定手段と、
前記スケジュール決定手段により決定されたスケジュールに基づいて、前記電力制御装置に前記電力モードを設定する電力モード設定手段と、を備える、
電力モード設定装置。
【請求項２】
運転プランごとにスケジュールが対応付けられたプラン別情報を記憶するプラン別情報記憶手段をさらに備え、
前記決定用情報取得手段は、前記決定用情報として運転プランを示す情報を取得し、
前記スケジュール決定手段は、前記プラン別情報記憶手段に記憶されているプラン別情報に基づいて、前記決定用情報として取得された情報により示される運転プランに対応付けられたスケジュールを、採用するスケジュールとして決定する、
請求項１に記載の電力モード設定装置。
【請求項３】
前記決定用情報取得手段は、前記決定用情報として、ユーザから受け付けた操作に基づいて選択された前記電力モードと前記電力モードを設定する期間とを示す情報を取得する、
請求項１に記載の電力モード設定装置。
【請求項４】
前記蓄電池に蓄積されている蓄電量を取得する蓄電量取得手段をさらに備え、
前記決定用情報取得手段は、前記決定用情報として、前記蓄電池から供給された電力を動力源として走行する電気自動車の利用が開始される利用開始時刻を示す情報を取得し、
前記スケジュール決定手段は、前記蓄電量取得手段により取得された蓄電量に基づいて、前記蓄電池を前記利用開始時刻までに目標蓄電量を蓄積した状態にするスケジュールを決定する、
請求項１から３までのいずれか１項に記載の電力モード設定装置。
【請求項５】
前記スケジュール決定手段は、前記蓄電量取得手段により取得された蓄電量に基づいて、前記蓄電池を前記利用開始時刻までに前記目標蓄電量を蓄積した状態にすることが可能な時刻のうち最も遅い時刻である最終充電開始時刻を予測し、予測した最終充電開始時刻よりも余裕時間だけ前の時刻である充電開始時刻から前記利用開始時刻までの期間における電力モードが、前記蓄電池を充電する電力モードであるスケジュールを決定する、
請求項４に記載の電力モード設定装置。
【請求項６】
前記蓄電池に充電可能であると予測される充電量を期間毎に示す予測充電量情報を記憶する予測充電量情報記憶手段をさらに備え、
前記スケジュール決定手段は、前記蓄電量取得手段により取得された蓄電量と前記予測充電量情報記憶手段に記憶されている予測充電量情報とに基づいて、前記最終充電開始時刻を予測する、
請求項５に記載の電力モード設定装置。
【請求項７】
前記スケジュール決定手段は、予め定められた周期で、前記最終充電開始時刻を予測する処理と、現在時刻が予測した最終充電開始時刻に基づく充電開始時刻を過ぎている否かを判別する処理とを実行し、前記現在時刻が前記充電開始時刻を過ぎていると判別した場合、前記現在時刻から前記利用開始時刻までの期間における電力モードが、前記蓄電池を充電する電力モードであるスケジュールを決定する、
請求項５又は６に記載の電力モード設定装置。
【請求項８】
前記電力モード設定手段は、前記スケジュール決定手段により決定されたスケジュールに基づいて、定期的に、前記電力制御装置に前記電力モードを設定する、
請求項１から７までのいずれか１項に記載の電力モード設定装置。
【請求項９】
商用電力系統、発電装置または蓄電池から供給される電力量と、前記商用電力系統、前記蓄電池または電気機器へ供給する電力量とを、設定された電力モードに従って制御する電力制御装置と、前記電力制御装置に前記電力モードを設定する電力モード設定装置とを備える電力制御システムであって、
前記電力モード設定装置は、
前記電力モードと前記電力モードを設定する期間とを含むスケジュールを決定するための情報である決定用情報を取得する決定用情報取得手段と、
前記決定用情報取得手段により取得された決定用情報に基づいて、前記スケジュールを決定するスケジュール決定手段と、
前記スケジュール決定手段により決定されたスケジュールに基づいて、前記電力制御装置に前記電力モードを設定する電力モード設定手段と、を備え、
前記電力制御装置は、
前記電力モード設定手段により設定された電力モードに従って、前記供給される電力量と、前記供給する電力量とを制御する、
電力制御システム。
【請求項１０】
商用電力系統、発電装置または蓄電池から供給される電力量と、前記商用電力系統、前記蓄電池または電気機器へ供給する電力量とを、設定された電力モードに従って制御する電力制御装置に、前記電力モードを設定する電力モード設定方法であって、
前記電力モードと前記電力モードを設定する期間とを含むスケジュールを決定するための情報である決定用情報を取得する決定用情報取得ステップと、
前記決定用情報取得ステップで取得された決定用情報に基づいて、前記スケジュールを決定するスケジュール決定ステップと、
前記スケジュール決定ステップで決定されたスケジュールに基づいて、前記電力制御装置に前記電力モードを設定する電力モード設定ステップと、を備える、
電力モード設定方法。
【請求項１１】
コンピュータを、
商用電力系統、発電装置または蓄電池から供給される電力量と、前記商用電力系統、前記蓄電池または電気機器へ供給する電力量とを、設定された電力モードに従って制御する電力制御装置に、前記電力モードを設定する電力モード設定装置として機能させるプログラムであって、
前記コンピュータを、
前記電力モードと前記電力モードを設定する期間とを含むスケジュールを決定するための情報である決定用情報を取得する決定用情報取得手段、
前記決定用情報取得手段により取得された決定用情報に基づいて、前記スケジュールを決定するスケジュール決定手段、
前記スケジュール決定手段により決定されたスケジュールに基づいて、前記電力制御装置に前記電力モードを設定する電力モード設定手段、として機能させる、
プログラム。
【発明の詳細な説明】
【技術分野】
【０００１】
本発明は、電力制御装置に電力モードを設定する電力モード設定装置、電力制御システム、電力モード設定方法、及び、プログラムに関する。
【背景技術】
【０００２】
商用電力系統や発電装置から供給された電力を蓄積し、必要に応じて電気機器に電力を供給する蓄電池が知られている。このような蓄電池として、例えば、電気自動車が動力源として備える蓄電池が用いられる。蓄電池による充放電は、安全性、コスト、利便性などを考慮して、適切に制御されることが望まれる。【０００３】
特許文献１には、操作者により選択された充電モードに基づいて、充電装置により電動車両用蓄電器を充電する車両充電電力マネジメントシステムが開示されている。ここで、特許文献１に開示された充電モードは、ＥＶ（Electric Vehicle）優先の充電モード、家電優先の充電モード、バッテリ高寿命の充電モードなどであり、基本的に、充放電の制御時に優先すべき事項を規定するモードである。
【先行技術文献】
【特許文献】
【０００４】
【特許文献１】特開２０１１−１６６９７４号公報
【発明の概要】
【発明が解決しようとする課題】
【０００５】
しかしながら、特許文献１に開示された技術では、操作者が充電モードを選択する必要があった。従って、特許文献１に開示された技術では、例えば、優先すべき事項が時間帯毎に異なる場合、操作者は、時間帯の区切り毎に充電モードを変更する必要があった。このため、ユーザ（操作者）が電力制御装置に電力モード（充電モード）を設定する手間を減らすことが可能な技術が望まれている。【０００６】
本発明は、上記問題に鑑みてなされたものであり、ユーザが電力制御装置に電力モードを設定する手間を減らすのに好適な電力モード設定装置、電力制御システム、電力モード設定方法、及び、プログラムを提供することを目的とする。
【課題を解決するための手段】
【０００７】
上記目的を達成するために、本発明に係る電力モード設定装置は、
商用電力系統、発電装置または蓄電池から供給される電力量と、前記商用電力系統、前記蓄電池または電気機器へ供給する電力量とを、設定された電力モードに従って制御する電力制御装置に、前記電力モードを設定する電力モード設定装置であって、
前記電力モードと前記電力モードを設定する期間とを含むスケジュールを決定するための情報である決定用情報を取得する決定用情報取得手段と、
前記決定用情報取得手段により取得された決定用情報に基づいて、前記スケジュールを決定するスケジュール決定手段と、
前記スケジュール決定手段により決定されたスケジュールに基づいて、前記電力制御装置に前記電力モードを設定する電力モード設定手段と、を備える。
【発明の効果】
【０００８】
本発明では、電力モードと電力モードを設定する期間とを含むスケジュールに基づいて、電力制御装置に電力モードが設定される。従って、本発明によれば、ユーザが電力制御装置に電力モードを設定する手間を減らすことができる。
【図面の簡単な説明】
【０００９】
【図１】本発明の実施形態１に係る電力制御システムの構成図である。
【図２】本発明の実施形態１に係る電力制御装置の構成図である。
【図３】本発明の実施形態１に係る電力モード設定装置の構成図である。
【図４】本発明の実施形態１に係る端末装置の構成図である。
【図５】本発明の実施形態１に係る電力モード設定装置の機能を説明するための図である。
【図６】運転プランを説明するための図である。
【図７】運転プラン選択画面を示す図である。
【図８】ユーザ定義プラン編集画面を示す図である。
【図９】電力制御装置に電力モードが設定される様子を示す図である。
【図１０】本発明の実施形態１に係る電力モード設定装置が実行する電力モード設定処理を示すフローチャートである。
【図１１】本発明の実施形態２に係る電力モード設定装置の機能を説明するための図である。
【図１２】最大消費電力量と充電可能電力量との関係を示す図である。
【図１３】スケジュールが設定されるタイミングを示す図である。
【図１４】本発明の実施形態２に係る電力モード設定装置が実行する電力モード設定処理を示すフローチャートである。
【図１５】図１４に示すスケジュール設定処理を示すフローチャートである。
【発明を実施するための形態】
【００１０】
以下、本発明の実施形態を、図面を参照して説明する。
【００１１】
（実施形態１）
まず、本発明の実施形態１に係る電力制御システム１０００について説明する。電力制御システム１０００は、蓄電池２１０と太陽光発電パネル２２０と商用電源２３０とから供給される電力と、蓄電池２１０と商用電源２３０と電気機器４００とに供給する電力と、を制御するシステムである。電力制御システム１０００は、例えば、ホームエネルギーマネージメントシステムである。
【００１２】
図１に示すように、電力制御システム１０００は、電力制御装置１００と、電気自動車２１１と、太陽光発電パネル２２０と、商用電源２３０と、電力モード設定装置３００と、電気機器４００と、電力計測装置５００と、端末装置６００と、サーバ７００と、宅内ネットワーク８１０と、宅外ネットワーク８２０と、ブロードバンドルータ８３０と、を備える。
【００１３】
電力制御装置１００は、設定された電力モードに従って、蓄電池２１０と太陽光発電パネル２２０と商用電源２３０とから供給される電力と、蓄電池２１０と商用電源２３０と電気機器４００とに供給する電力と、を制御する。つまり、電力制御装置１００は、蓄電池２１０が充電する電力や蓄電池２１０が放電する電力を制御する。また、電力制御装置１００は、太陽光発電パネル２２０から供給される直流電力を、交流電力に変換する。また、電力制御装置１００は、商用電源２３０から供給される電力（以下、適宜「買電電力」という。）や商用電源２３０に供給する電力（以下、適宜「売電電力」という。）を制御する。
【００１４】
ここで、蓄電池２１０と太陽光発電パネル２２０と商用電源２３０とから電力制御装置１００に供給される電力の和は、電力制御装置１００が蓄電池２１０と商用電源２３０と電気機器４００とに供給する電力の和と等しい。従って、電力制御装置１００は、太陽光発電パネル２２０から供給される電力の量や電気機器４００により消費される電力の量に応じて、蓄電池２１０や商用電源２３０から電力の供給を受けたり、蓄電池２１０や商用電源２３０に電力を供給したりする。
【００１５】
図２に示すように、電力制御装置１００は、制御部１１０と、パワーコンディショナ１２０と、パワーコンディショナ１３０と、蓄電量測定部１４０と、記憶部１５０と、操作部１６０と、通信部１７０と、報知部１８０と、を備える。
【００１６】
制御部１１０は、電力制御装置１００全体の動作を制御する。つまり、制御部１１０は、電力制御装置１００が備える各構成要素を制御して、電力制御処理を実行する。制御部１１０は、例えば、ＣＰＵ（Central Processing Unit）、ＲＯＭ（Read Only Memory）、ＲＡＭ（Random Access Memory）、フラッシュメモリ、ＲＴＣ（Real Time Clock）などを備える。
【００１７】
パワーコンディショナ１２０は、蓄電池２１０から供給された直流電力を交流電力に変換し、電気機器４００などに供給する。また、パワーコンディショナ１２０は、太陽光発電パネル２２０や商用電源２３０などから供給された交流電力を直流電力に変換し、蓄電池２１０に供給する。このように、パワーコンディショナ１２０は、ＤＣ／ＡＣ（Direct Current / Alternating Current）変換器として機能する。
【００１８】
パワーコンディショナ１３０は、太陽光発電パネル２２０から供給された直流電力を交流電力に変換し、電気機器４００などに供給する。このように、パワーコンディショナ１３０は、ＤＣ／ＡＣ変換器として機能する。
【００１９】
蓄電量測定部１４０は、蓄電池２１０に蓄電されている蓄電量（充電量）を測定する。蓄電量測定部１４０は、種々の手法を用いて、蓄電池２１０に蓄電されている蓄電量を測定することができる。例えば、蓄電量測定部１４０は、蓄電池２１０に予め定められた抵抗値の負荷を接続し、この負荷に流れる電流の値やこの負荷の両端に印加される電圧の値に基づいて、蓄電池２１０の蓄電量を測定することができる。また、例えば、蓄電量測定部１４０は、蓄電池２１０がフル充電状態又はフル放電状態にあるとき以降、蓄電池２１０が充電又は放電した電力の積算値を記憶することで、蓄電池２１０の蓄電量を測定することができる。
【００２０】
記憶部１５０は、種々の情報を記憶する。例えば、記憶部１５０は、電力モードを示す情報（以下、適宜「電力モード情報」という。）を記憶する。記憶部１５０は、例えば、フラッシュメモリを備える。
【００２１】
操作部１６０は、ユーザによる操作を受け付ける。操作部１６０は、例えば、電力モードの指定をユーザから受け付ける。なお、操作部１６０が受け付けた情報は、制御部１１０により記憶部１５０に記憶される。操作部１６０は、例えば、タッチスクリーン、ボタン、レバーなどを備える。操作部１６０は、リモートコントローラなどを備えていてもよい。
【００２２】
通信部１７０は、制御部１１０による制御のもと、ブロードバンドルータ８３０などを介して電力モード設定装置３００などと通信する。通信部１７０は、例えば、ＮＩＣ（Network Interface Card）などのＬＡＮ（Local Area Network）インターフェースを備える。
【００２３】
報知部１８０は、制御部１１０による制御に従って、エラーの発生などを報知する。報知部１８０は、例えば、スピーカ、ブザー、液晶ディスプレイ、ＬＥＤ（Light Emitting Diode）などを備える。
【００２４】
電気自動車２１１は、蓄電池２１０を備え、蓄電池２１０に蓄積された電気エネルギーを動力源として走行する自動車である。電気自動車２１１は、電気エネルギーのみを動力源とするいわゆる電気自動車であってもよいし、他のエネルギーをも動力源とするハイブリッド自動車であってもよい。
【００２５】
蓄電池２１０は、供給された電力を蓄積し、蓄積した電力を供給する。蓄電池２１０は、パワーコンディショナ１２０を介して太陽光発電パネル２２０や商用電源２３０から供給された電力を蓄積する。蓄電池２１０の主要な機能は、基本的に、蓄積した電力を電気自動車２１１に供給することである。従って、電気自動車２１１の利用が見込まれる場合、蓄電池２１０が十分に充電されていることが望ましい。しかしながら、蓄電池２１０は、蓄積した電力を、パワーコンディショナ１２０を介して電気機器４００に供給することもできる。例えば、電気自動車２１１の利用が見込まれない場合、蓄電池２１０は、電気機器４００に電力を供給することが好適である。
【００２６】
太陽光発電パネル２２０は、太陽光のエネルギーを電気エネルギーに変換する。太陽光発電パネル２２０は、発電により得られた直流電力を、パワーコンディショナ１３０に供給する。
【００２７】
商用電源２３０は、電力会社などが需要家に電力を供給する電源である。商用電源２３０により供給される電力は、交流電力である。本実施形態では、商用電源２３０から需要家に潮流される電力を買電電力とし、需要家から商用電源２３０に逆潮流される電力を売電電力とする。つまり、需要家は、電力会社から電力を買うこともできるし、電力会社に電力を売ることもできる。
【００２８】
電力モード設定装置３００は、電力制御装置１００に、電力モードを設定する装置である。本実施形態では、電力モード設定装置３００は、宅内ネットワーク８１０に接続された電気機器４００を、制御したり監視したりするホームコントローラであるものとする。従って、電力モード設定装置３００は、電力モード設定機能の他、スケジュール機能などを備える。なお、スケジュール機能は、ユーザによるスケジュール登録を受け付け、登録されたスケジュールに従って、電気機器４００を制御したり監視したりする機能である。なお、電気自動車２１１を利用したイベントもスケジュールとして登録される。電力モード設定装置３００は、電力制御装置１００、電気機器４００、電力計測装置５００、端末装置６００、サーバ７００などと通信することができる。以下、図３を参照して、電力モード設定装置３００の構成について説明する。
【００２９】
図３に示すように、電力モード設定装置３００は、ＣＰＵ３１、ＲＯＭ３２、ＲＡＭ３３、フラッシュメモリ３４、ＲＴＣ３５、宅内インターフェース３６、宅外インターフェース３７を備える。電力モード設定装置３００が備える各構成要素は、バスを介して相互に接続される。
【００３０】
ＣＰＵ３１は、電力モード設定装置３００の全体の動作を制御する。なお、ＣＰＵ３１は、ＲＯＭ３２に格納されているプログラムに従って動作し、ＲＡＭ３３をワークエリアとして使用する。
【００３１】
ＲＯＭ３２には、電力モード設定装置３００の全体の動作を制御するためのプログラムやデータが記憶される。
【００３２】
ＲＡＭ３３は、ＣＰＵ３１のワークエリアとして機能する。つまり、ＣＰＵ３１は、ＲＡＭ３３にプログラムやデータを一時的に書き込み、これらのプログラムやデータを適宜参照する。
【００３３】
フラッシュメモリ３４は、各種の情報を記憶する不揮発性メモリである。フラッシュメモリ３４は、プラン別情報、予測充電量情報、イベント情報などを記憶する。
【００３４】
ＲＴＣ３５は、計時用のデバイスである。ＲＴＣ３５は、例えば、電池を内蔵し、電力モード設定装置３００の電源がオフの間も計時を継続する。ＲＴＣ３５は、例えば、水晶発振子を備える発振回路を備える。
【００３５】
宅内インターフェース３６は、電力モード設定装置３００を、宅内ネットワーク８１０に接続するためのインターフェースである。電力モード設定装置３００は、宅内ネットワーク８１０を介して、電気機器４００、電力計測装置５００、端末装置６００などと通信することができる。宅内インターフェース３６は、ＮＩＣなどのＬＡＮインターフェースを備える。
【００３６】
宅外インターフェース３７は、電力モード設定装置３００を、宅外ネットワーク８２０などに接続するためのインターフェースである。電力モード設定装置３００は、宅外ネットワーク８２０を介して、電力制御装置１００、端末装置６００、サーバ７００などと通信することができる。宅外インターフェース３７は、ＮＩＣなどのＬＡＮインターフェースを備える。
【００３７】
電気機器４００は、電気エネルギーを動力源として動作する機器である。電気機器４００は、蓄電池２１０、太陽光発電パネル２２０、商用電源２３０のうちの少なくとも１つから供給された電力で動作する。本実施形態では、電気機器４００は、交流電力で動作するものとする。電気機器４００は、例えば、エアコン、給湯器、電気ストーブ、炊飯器、照明装置、電気カーペットなどである。本実施形態では、電気機器４００の個数が２個である例について説明する。電気機器４００の個数は、１個でもよいし、３個以上であってもよい。
【００３８】
電力計測装置５００は、各種の電力を計測する。例えば、電力計測装置５００は、蓄電池２１０に充電されている電力の値、蓄電池２１０から放電されている電力の値、太陽光発電パネル２２０により発電されている電力の値、買電電力の値、売電電力の値などを測定する。電力計測装置５００は、電気機器４００により消費されている電力の値を測定することもできる。
【００３９】
端末装置６００は、情報処理機能や通信機能などを有する装置である。端末装置６００は、宅内ネットワーク８１０や宅外ネットワーク８２０を介して、電力モード設定装置３００と接続される。従って、ユーザは、端末装置６００を用いて、電力制御装置１００に電力モードを設定することができる。また、ユーザは、端末装置６００を用いて、電気機器４００を制御したり、電気機器４００を監視したりすることもできる。端末装置６００は、例えば、スマートフォン、携帯電話、タブレット端末などである。以下、図４を参照して、端末装置６００の構成について説明する。
【００４０】
図４に示すように、端末装置６００は、ＣＰＵ６１、ＲＯＭ６２、ＲＡＭ６３、フラッシュメモリ６４、ＲＴＣ６５、宅内インターフェース６６、宅外インターフェース６７、タッチスクリーン６８、スピーカ６９を備える。端末装置６００が備える各構成要素は、バスを介して相互に接続される。
【００４１】
ＣＰＵ６１は、端末装置６００の全体の動作を制御する。なお、ＣＰＵ６１は、ＲＯＭ６２に格納されているプログラムに従って動作し、ＲＡＭ６３をワークエリアとして使用する。
【００４２】
ＲＯＭ６２には、端末装置６００の全体の動作を制御するためのプログラムやデータが記憶される。
【００４３】
ＲＡＭ６３は、ＣＰＵ６１のワークエリアとして機能する。つまり、ＣＰＵ６１は、ＲＡＭ６３にプログラムやデータを一時的に書き込み、これらのプログラムやデータを適宜参照する。
【００４４】
フラッシュメモリ６４は、各種の情報を記憶する不揮発性メモリである。
【００４５】
ＲＴＣ６５は、計時用のデバイスである。ＲＴＣ６５は、例えば、電池を内蔵し、端末装置６００の電源がオフの間も計時を継続する。ＲＴＣ６５は、例えば、水晶発振子を備える発振回路を備える。
【００４６】
宅内インターフェース６６は、端末装置６００を、宅内ネットワーク８１０に接続するためのインターフェースである。端末装置６００は、宅内ネットワーク８１０を介して、電力モード設定装置３００と通信することができる。宅内インターフェース６６は、ＮＩＣなどのＬＡＮインターフェースを備える。
【００４７】
宅外インターフェース６７は、端末装置６００を、宅外ネットワーク８２０などに接続するためのインターフェースである。端末装置６００は、宅外ネットワーク８２０を介して、電力モード設定装置３００と通信することができる。宅外インターフェース６７は、ＮＩＣなどのＬＡＮインターフェースを備える。
【００４８】
タッチスクリーン６８は、ユーザによりなされたタッチ操作を検知し、検知の結果を示す信号をＣＰＵ６１に供給する。また、タッチスクリーン６８は、ＣＰＵ６１などから供給された画像信号に基づく画像を表示する。このように、タッチスクリーン６８は、端末装置６００のユーザインターフェースとして機能する。
【００４９】
スピーカ６９は、ＣＰＵ６１による制御に従って、音声を出力する。例えば、スピーカ６９は、ＣＰＵ６１などから供給されるデジタルの音声データを、アナログの音声データ（電圧信号）に変換し、音声として出力する。
【００５０】
サーバ７００は、各種の情報を記憶する。サーバ７００は、宅外ネットワーク８２０を介して電力モード設定装置３００や端末装置６００と接続される。従って、サーバ７００は、各種の情報を、電力モード設定装置３００や端末装置６００に送信することができる。また、サーバ７００は、各種の情報を、電力モード設定装置３００や端末装置６００から受信することができる。
【００５１】
宅内ネットワーク８１０は、需要家内に構築されるネットワークである。宅内ネットワーク８１０は、例えば、電力モード設定装置３００と電気機器４００とが通信するためのホームネットワークである。宅内ネットワーク８１０は、例えば、無線ＬＡＮなどのネットワークである。
【００５２】
宅外ネットワーク８２０は、需要家外に構築されるネットワークである。宅外ネットワーク８２０は、例えば、電力モード設定装置３００と端末装置６００とサーバ７００とを相互に接続するためのネットワークである。宅外ネットワーク８２０は、例えば、インターネットなどのＷＡＮ（Wide Area Network）である。
【００５３】
ブロードバンドルータ８３０は、電力モード設定装置３００を、ＡＤＳＬ（Asymmetric Digital Subscriber Line）や光ファイバなど高速な回線で、宅外ネットワーク８２０に接続するためのルータである。ブロードバンドルータ８３０は、電力モード設定装置３００を、電力制御装置１００に接続する機能も有する。ブロードバンドルータ８３０は、ＬＡＮ側にＥｔｈｅｒｎｅｔ（登録商標）ポートやシリアルポートを備え、ＷＡＮ側にＥｔｈｅｒｎｅｔ（登録商標）ポートを備える。
【００５４】
次に、図５を参照して、実施形態１に係る電力モード設定装置３００の基本的な機能について説明する。図５に示すように、電力モード設定装置３００は、機能的には、決定用情報取得部３０１と、スケジュール決定部３０２と、電力モード設定部３０３と、プラン別情報記憶部３０４と、を備える。電力モード設定装置３００は、電力制御装置１００に電力モードを設定する装置である。ここで、電力制御装置１００は、商用電力系統（商用電源２３０）、発電装置（太陽光発電パネル２２０）または蓄電池２１０から供給される電力量と、商用電力系統、蓄電池２１０または電気機器４００へ供給する電力量とを、設定された電力モードに従って制御する装置である。
【００５５】
決定用情報取得部３０１は、電力モードと電力モードを設定する期間とを含むスケジュールを決定するための情報である決定用情報を取得する。決定用情報取得部３０１は、例えば、宅内インターフェース３６や宅外インターフェース３７を備える。
【００５６】
スケジュール決定部３０２は、決定用情報取得部３０１により取得された決定用情報に基づいて、電力制御装置１００に設定する電力モードと電力制御装置１００にこの電力モードを設定する期間とを示すスケジュールを決定する。スケジュール決定部３０２は、例えば、ＣＰＵ３１を備える。
【００５７】
電力モード設定部３０３は、スケジュール決定部３０２により決定されたスケジュールに基づいて、電力制御装置１００に電力モードを設定する。電力モード設定部３０３は、例えば、ＣＰＵ３１と宅外インターフェース３７（又は、宅内インターフェース３６）とを備える。
【００５８】
プラン別情報記憶部３０４は、プラン別情報を記憶する。プラン別情報は、運転プランごとにスケジュールが対応付けられた情報である。プラン別情報記憶部３０４は、例えば、フラッシュメモリ３４を備える。
【００５９】
ここで、決定用情報取得部３０１は、ユーザから受け付けた操作に基づいて、決定用情報として運転プランを示す情報を取得することができる。
【００６０】
一方、スケジュール決定部３０２は、プラン別情報記憶部３０４に記憶されているプラン別情報により示されるスケジュールのうち、決定用情報取得部３０１により取得された情報より示される運転プランに対応付けられたスケジュールを、採用するスケジュールとして決定する。つまり、スケジュール決定部３０２は、ユーザから指定された運転プランに対応付けられたスケジュールを、採用するスケジュールとして決定することができる。
【００６１】
また、決定用情報取得部３０１は、決定用情報として、ユーザから受け付けた操作に基づいて選択された電力モードと電力制御装置１００にこの電力モードを設定する期間とを示す情報を取得することができる。つまり、スケジュール決定部３０２は、ユーザにより指定された任意のスケジュールを、採用するスケジュールとして決定することができる。
【００６２】
ここで、電力モード設定部３０３は、スケジュール決定部３０２により決定されたスケジュールに基づいて、定期的に、電力制御装置１００に電力モードを設定することができる。
【００６３】
次に、図６を参照して、運転プランについて説明する。運転プランは、電力制御装置１００に設定される電力モードを時間帯毎に示す情報である。本実施形態では、運転プランは、一日分のスケジュールを示すものとして説明するが、運転プランによりスケジュールが示される期間は一日に限定されない。以下、運転プランを説明する前に、電力モードと時間帯とについて説明する。
【００６４】
電力モードは、電力制御装置１００が電力制御を実行する際に基づくモードである。つまり、電力制御装置１００は、設定された電力モードに従って電力を制御する。電力モードは、電力制御において優先すべき事項を示すものと考えることができる。電力制御装置１００は、電力モードの設定を受け付ける機能を備える。なお、ユーザは、手動で電力制御装置１００に電力モードを設定してもよい。一方、電力モード設定装置３００は、設定されたスケジュールに従って、自動で電力制御装置１００に電力モードを設定することができる。電力モードとして、例えば、停止モード、ＥＶ（Electric Vehicle）充電モード、売電最大モード、買電最小モード、余剰売電モード、ピークカットモードなどが用意される。
【００６５】
停止モードは、電力制御装置１００を停止させ、待機させるモードである。ＥＶ充電モードは、ＥＶを充電するモードである。
【００６６】
売電最大モードは、太陽光発電パネル２２０の発電電力を可能な限り売電するモードである。売電最大モードでは、蓄電池２１０の放電電力と太陽光発電パネル２２０の発電電力との和が電気機器４００の消費電力に満たない場合、買電電力が電気機器４００に供給される。
【００６７】
買電最小モードは、買電電力を可能な限り小さくするモードである。買電最小モードでは、蓄電池２１０の放電電力と太陽光発電パネル２２０の発電電力との和が電気機器４００の消費電力を超える場合、余剰電力が蓄電池２１０に蓄積される。余剰電力が蓄電池２１０に充電できないときは、余剰電力が売電される。
【００６８】
余剰売電モードは、発電電力のうち余剰電力のみが売電されるモードである。ピークカットモードは、買電電力がユーザの設定値範囲内に収められるモードである。
【００６９】
電力モードは、買電電力の単価などを考慮して、時間帯毎に設定されることが好適である。典型的には、電力モードが設定される時間帯が、深夜時間帯と日中時間帯とのうちのいずれに属するのかによって、設定される電力モードが選択されることが好適である。
【００７０】
深夜時間帯は、電力会社の電気料金プランで、電気料金が割安となる時間帯である。日中時間帯は、深夜時間帯以外の時間帯である。つまり、日中時間帯は、電気料金が割高となる時間帯である。電力モード設定装置３００は、ユーザによって選択された電気料金プランに基づいて、深夜時間帯の開始時刻である深夜時間帯開始時刻（例えば、２３時）と深夜時間帯の終了時刻であり日中時間帯の開始時刻である日中時間帯開始時刻（例えば、７時）とを把握することができる。なお、ユーザによって選択された電気料金プランを示す情報は、フラッシュメモリ３４などに記憶されていてもよいし、サーバ７００などに記憶されていてもよい。
【００７１】
運転プランとして、例えば、売電最大プラン、買電最小プラン、ＥＶ外出プラン、常時充電プラン、ユーザ設定プラン、プラン停止などが用意される。
【００７２】
売電最大プランは、売電電力がなるべく多くなるように、電力制御装置１００に電力モードが設定されるプランである。売電最大プランでは、深夜時間帯において、ＥＶ充電モードが設定される。売電最大プランでは、日中時間帯において、電気機器４００の消費電力よりも太陽光発電パネル２２０の発電電力のほうが小さい場合、不足分の電力が蓄電池２１０により補われる。一方、売電最大プランでは、日中時間帯において、電気機器４００の消費電力よりも太陽光発電パネル２２０の発電電力のほうが大きい場合、過剰分の電力が売電される。つまり、売電最大プランでは、日中時間帯において、売電最大モード、又は、余剰売電モードが設定される。売電最大プランでは、蓄電池２１０と太陽光発電パネル２２０とが必要である。
【００７３】
買電最小プランは、買電電力がなるべく少なくなるように、電力制御装置１００に電力モードが設定されるプランである。買電最小プランでは、深夜時間帯において、ＥＶ充電モードが設定される。買電最小プランでは、日中時間帯において、電気機器４００の消費電力よりも太陽光発電パネル２２０の発電電力のほうが小さい場合、不足分の電力が蓄電池２１０により補われる。一方、買電最小プランでは、日中時間帯において、電気機器４００の消費電力よりも太陽光発電パネル２２０の発電電力のほうが大きい場合、過剰分の電力が蓄電池２１０に充電される。つまり、買電最小プランでは、日中時間帯において、買電最小モードが設定される。買電最小プランでは、蓄電池２１０が必要である。
【００７４】
ＥＶ外出プランは、日中に電気自動車２１１で外出することに備えて、日中の電力消費がなるべく少なくなるように、電力制御装置１００に電力モードが設定されるプランである。ＥＶ外出プランでは、深夜時間帯において、ＥＶ充電モードが設定される。ＥＶ外出プランでは、日中時間帯において、停止モードが設定される。ＥＶ外出プランでは、蓄電池２１０が必要である。
【００７５】
常時充電プランは、日中に突発的に電気自動車２１１で外出することや災害の発生に備えて、日中の電力消費がなるべく少なくなるように、電力制御装置１００に電力モードが設定されるプランである。常時充電プランでは、深夜時間帯と日中時間帯とにおいて、ＥＶ充電モードが設定される。常時充電プランでは、蓄電池２１０が必要である。
【００７６】
ユーザ定義プランは、電力制御装置１００に設定される電力モードがユーザにより定義されるプランである。ユーザ定義プランでは、ユーザにより指定された時間帯に、ユーザにより指定された電力モードが設定される。
【００７７】
プラン停止は、電力制御装置１００に電力モードが設定されないプランである。プラン停止は、例えば、他の運転プランに従った電力モード設定処理が実行されているときに、この電力モード設定処理を停止するためのプランと考えることができる。
【００７８】
図６に示すようなプラン別情報（運転プランのそれぞれに対応付けられたスケジュールを示す情報）は、フラッシュメモリ３４に予め記憶されているものとする。
【００７９】
次に、図７を参照して、運転プラン選択画面について説明する。画面６５０は、ユーザに運転プランを選択させるための画面（運転プラン選択画面）である。なお、電力モード設定装置３００は、宅内ネットワーク８１０や宅外ネットワーク８２０を介して端末装置６００と通信し、端末装置６００に画面６５０を表示させることができる。そして、電力モード設定装置３００は画面６５０により受け付けられた情報（例えば、運転プランを指定する情報（以下、適宜「運転プラン情報」という。））を、端末装置６００から取得することができる。運転プラン選択画面６５０は、領域６５１と、領域６５２と、ボタン６５３とを備える。
【００８０】
領域６５１は、選択中の運転プランの概要が文字列や画像により提示される領域である。従って、ユーザは、領域６５１に表示された情報を参照することにより、選択中の運転プランの概要を把握することができる。図７は、領域６５１において、選択中の運転プランである買電最小プランの概要が提示されている例を示している。
【００８１】
領域６５２は、運転プランの選択を受け付けるラジオボタンが表示される領域である。このラジオボタンは、ユーザが選択可能な運転プランの候補を提示し、ユーザによる運転プランの選択を受け付ける。このラジオボタンは、ユーザによりクリックされた領域に表示されている運転プランを、選択中の運転プランとして設定する。
【００８２】
ボタン６５３は、選択中の運転プランを、採用する運転プランとして確定する旨の指示を受け付けるボタンである。つまり、ボタン６５３がユーザにより押圧されたときに、領域６５２に表示されているラジオボタンにより選択されている運転プランが、採用する運転プランとして確定する。
【００８３】
次に、図８を参照して、ユーザ定義プラン編集画面について説明する。画面６６０は、ユーザにユーザ定義プランを編集させるための画面（ユーザ定義プラン編集画面）である。なお、電力モード設定装置３００は、宅内ネットワーク８１０や宅外ネットワーク８２０を介して端末装置６００と通信し、端末装置６００に画面６６０を表示させることができる。そして、電力モード設定装置３００は、画面６６０により受け付けられた情報（例えば、電力モードと開始時刻とを指定する情報）を、端末装置６００から取得することができる。画面６６０は、領域６６１と、領域６６２と、ボタン６６３とを備える。
【００８４】
領域６６１は、編集中のユーザ定義プランの概要が文字列や画像により提示される領域である。従って、ユーザは、領域６６１に表示された情報を参照することにより、編集中のユーザ定義プランの概要を把握することができる。
【００８５】
領域６６２は、電力モードの選択を受け付けるドロップダウンリストと、この電力モードを設定する開始時刻の選択を受け付けるドロップダウンリストと、の組が表示される領域である。電力モードの選択を受け付けるドロップダウンリストは、選択中の電力モードを表示し、クリックされると選択可能な電力モードの候補を表示し、さらにクリックされるとクリックされた領域に表示されている電力モードの候補を選択中の電力モードに設定する。開始時刻の選択を受け付けるドロップダウンリストは、選択中の開始時刻を表示し、クリックされると選択可能な開始時刻の候補を表示し、さらにクリックされるとクリックされた領域に表示されている開始時刻の候補を選択中の開始時刻に設定する。
【００８６】
ボタン６６３は、選択中の電力モードと選択中の開始時刻との組により定義されたプランを、採用するユーザ定義プランとして確定する旨の指示を受け付けるボタンである。つまり、ボタン６６３がユーザにより押圧されたときに、領域６６２に表示されているドロップダウンリストにより選択されている電力モードと開始時刻との組により定義されたプランが、採用する運転プランとして確定する。
【００８７】
次に、図９を参照して、電力モード設定装置３００が電力制御装置１００に電力モードを設定する手法について説明する。
【００８８】
まず、０６：００までは、運転プランとしてプラン停止が設定されている。従って、０６：００までは、電力モード設定装置３００から電力制御装置１００に電力モードが設定されない。
【００８９】
ここで、０６：００に、ユーザにより運転プラン（買電最小プラン）が登録されたものとする。すると、電力モード設定装置３００は、登録された運転プランに従って、定期的に、電力制御装置１００に電力モードを設定する処理を開始する。具体的には、電力モード設定装置３００は、まず、０６：００に、電力制御装置１００にＥＶ充電モードを設定する。そして、電力モード設定装置３００は、０６：００から０７：００までは、１０分おきに、電力制御装置１００にＥＶ充電モードを設定する。また、電力モード設定装置３００は、０７：００から０８：００までは、１０分おきに、電力制御装置１００に買電最小モードを設定する。
【００９０】
ここで、０８：００に、ユーザにより運転プラン（プラン停止）が登録されたものとする。すると、電力モード設定装置３００は、０８：００以降、電力制御装置１００に電力モードを設定する処理を終了する。
【００９１】
次に、図１０に示すフローチャートを参照して、実施形態１に係る電力モード設定装置３００が実行する電力モード設定処理について説明する。なお、電力モード設定装置３００は、電源が投入されたことに応答して、図１０に示す電力モード設定処理を開始する。
【００９２】
まず、ＣＰＵ３１は、初期化処理を実行する（ステップＳ１０１）。例えば、ＣＰＵ３１は、運転プランをプラン停止に設定したり、設定用タイマを停止したりする。なお、設定用タイマは、スケジュールが設定されたときに起動され、以後、スケジュールが解除されるまでの間、予め定められた周期（例えば、１０分）で再起動されるタイマである。つまり、設定用タイマは、電力モードを設定するタイミングを示すタイマであり、電力モードが設定される毎に再起動されるタイマである。設定用タイマは、例えば、ＲＴＣ３５などにより構成される。
【００９３】
ＣＰＵ３１は、ステップＳ１０１の処理を完了すると、運転プランの変更指示があるか否かを判別する（ステップＳ１０２）。例えば、ＣＰＵ３１は、端末装置６００から送信された変更指示情報が、宅内インターフェース３６や宅外インターフェース３７により受信されたか否かを判別する。なお、変更指示情報は、例えば、運転プランを示す情報である。ここで、端末装置６００は、ユーザによる運転プランの変更指示がタッチスクリーン６８により受け付けられたことに応答して、変更指示情報を宅内インターフェース６６や宅外インターフェース６７を介して電力モード設定装置３００に送信する。
【００９４】
以下、ＣＰＵ３１が宅内インターフェース３６や宅外インターフェース３７を介して端末装置６００から情報を受信することを、単に、ＣＰＵ３１が端末装置６００から情報を受信するという。同様に、ＣＰＵ３１が宅内インターフェース３６や宅外インターフェース３７を介して端末装置６００に情報を送信することを、単に、ＣＰＵ３１が端末装置６００に情報を送信するという。また、ＣＰＵ３１が宅内インターフェース３６や宅外インターフェース３７を介して電力制御装置１００から情報を受信することを、単に、ＣＰＵ３１が電力制御装置１００から情報を受信するという。同様に、ＣＰＵ３１が宅内インターフェース３６や宅外インターフェース３７を介して電力制御装置１００に情報を送信することを、単に、ＣＰＵ３１が電力制御装置１００に情報を送信するという。
【００９５】
ＣＰＵ３１は、運転プランの変更指示があると判別した場合（ステップＳ１０２：ＹＥＳ）、運転プランの指定を受け付ける（ステップＳ１０３）。例えば、ＣＰＵ３１は、フラッシュメモリ３４に記憶されているプラン別情報を端末装置６００に送信し、端末装置６００に画面６５０を表示させ、端末装置６００に運転プランの指定を受け付けさせる。一方、端末装置６００は、運転プラン情報を電力モード設定装置３００に送信する。そして、ＣＰＵ３１は、端末装置６００から受信した運転プラン情報を取得する。
【００９６】
なお、ＣＰＵ３１は、ユーザによりユーザ定義プランが指定された場合、さらに、端末装置６００に画面６６０を表示させ、端末装置６００にユーザ定義プランの詳細を示す情報（以下、適宜「ユーザ定義プラン情報」という。）を受け付けさせる。ここで、端末装置６００は、ユーザ定義プラン情報を電力モード設定装置３００に送信する。そして、ＣＰＵ３１は、端末装置６００から受信したユーザ定義プラン情報を取得する。ＣＰＵ３１は、運転プラン情報やユーザ定義プラン情報を、フラッシュメモリ３４に記憶する。なお、ユーザ定義プラン情報は、プラン別情報に含まれてもよい。
【００９７】
ＣＰＵ３１は、ステップＳ１０３の処理を完了すると、運転プランがプラン停止であるか否かを判別する（ステップＳ１０４）。ＣＰＵ３１は、運転プランがプラン停止であると判別すると（ステップＳ１０４：ＹＥＳ）、スケジュールを解除する（ステップＳ１０５）。なお、スケジュールを解除することは、電力モードの定期的な設定処理を終了することである。
【００９８】
ＣＰＵ３１は、ステップＳ１０５の処理を完了すると、設定用タイマを停止する（ステップＳ１０６）。なお、上述したように、設定用タイマは、電力モードを設定する周期をカウントするタイマである。従って、スケジュールが解除されて、スケジュール設定中でなくなった場合、ＣＰＵ３１は、設定用タイマを停止する。
【００９９】
一方、ＣＰＵ３１は、運転プランがプラン停止でないと判別すると（ステップＳ１０４：ＮＯ）、スケジュールを設定する（ステップＳ１０７）。具体的には、ＣＰＵ３１は、フラッシュメモリ３４に記憶されているプラン別情報に基づいて、ユーザにより指定された運転プランに対応付けられたスケジュールを、採用するスケジュールとして設定する。
【０１００】
ＣＰＵ３１は、ステップＳ１０７の処理を完了すると、電力モードを設定する（ステップＳ１０８）。具体的には、ＣＰＵ３１は、設定されたスケジュールに基づいて、現時点において設定すべき電力モードを特定し、特定した電力モードを示す情報（以下「電力モード情報」という。）を電力制御装置１００に送信する。一方、電力制御装置１００は、電力モード設定装置３００から受信した電力モード情報を記憶部１５０に記憶する。以後、電力制御装置１００は、記憶部１５０に記憶された電力モード情報により示される電力モードで、電力制御処理を実行する。
【０１０１】
ＣＰＵ３１は、ステップＳ１０８の処理を完了すると、設定用タイマを起動する（ステップＳ１０９）。ＣＰＵ３１は、運転プラン変更指示がないと判別した場合（ステップＳ１０２：ＮＯ）、ステップＳ１０６又はステップＳ１０９の処理を完了した場合、スケジュールが設定中であるか否かを判別する（ステップＳ１１０）。
【０１０２】
ＣＰＵ３１は、スケジュールが設定中であると判別すると（ステップＳ１１０：ＹＥＳ）、設定用タイマの値が所定値以上であるか否かを判別する（ステップＳ１１１）。この所定値は、電力モードを設定する周期（以下、適宜「設定周期」という。）に応じて予め定められた値である。つまり、設定用タイマの値は、クリアされてからこの所定値に至るまで設定周期を要する。
【０１０３】
ＣＰＵ３１は、設定用タイマの値が所定値以上であると判別すると（ステップＳ１１１：ＹＥＳ）、電力モードを設定する（ステップＳ１１２）。具体的には、ＣＰＵ３１は、電力モード情報を電力制御装置１００に送信する。このように、ＣＰＵ３１は、設定されたスケジュールにより示される、設定すべき電力モードを、設定周期毎に、電力制御装置１００に設定する。
【０１０４】
ＣＰＵ３１は、ステップＳ１１２の処理を完了すると、設定用タイマを再起動する（ステップＳ１１３）。つまり、ＣＰＵ３１は、設定用タイマの値をクリアする。ＣＰＵ３１は、スケジュールが設定中でないと判別した場合（ステップＳ１１０：ＮＯ）、設定用タイマの値が所定値以上でないと判別した場合（ステップＳ１１１：ＮＯ）、又は、ステップＳ１１３の処理を完了した場合、ステップＳ１０２に処理を戻す。
【０１０５】
本実施形態では、電力制御装置１００に設定する電力モードと電力制御装置１００に電力モードを設定する期間とを示すスケジュールに基づいて、電力制御装置１００に電力モードが設定される。従って、本実施形態によれば、ユーザが電力制御装置１００に電力モードを設定する手間を減らすことができる。
【０１０６】
また、本実施形態では、プラン別情報により示されるスケジュールのうち、決定用情報として取得された情報により示される運転プランに対応付けられたスケジュールが、採用するスケジュールとして決定される。従って、本実施形態によれば、ユーザが電力制御装置１００に電力モードを設定する手間をさらに減らすことができる。
【０１０７】
また、本実施形態では、ユーザから受け付けた操作に基づいて、電力制御装置１００に設定される電力モードとこの電力モードを設定する期間とを示す決定用情報が取得される。従って、本実施形態によれば、ユーザの希望するスケジュールに基づいて、電力制御装置１００に電力モードを設定することができ、利便性が高まる。
【０１０８】
また、本実施形態では、決定されたスケジュールに基づいて、定期的に、電力制御装置１００に電力モードが設定される。従って、本実施形態によれば、通信エラーなどにより電力制御装置１００に正しく電力モードが設定されなかったり、他の装置などにより電力制御装置１００に対して予期せぬ電力モードが設定されたりする場合であっても、電力制御装置１００にスケジュールに従った電力モードを確実に設定することが可能となる。
【０１０９】
（実施形態２）
実施形態１では、予め用意された運転プランから選択された運転プランに対応付けられたスケジュール、又は、ユーザ定義プランに対応付けられたスケジュールに従って、電力制御装置１００に電力モードが設定される例について説明した。本発明において、電力制御装置１００に電力モードを設定する際に参照されるスケジュールは、この例に限定されない。以下、ホームコントローラが有するカレンダー機能により、システムに登録された情報に基づいて、参照されるスケジュールが設定される例について説明する。
【０１１０】
以下、基本的に、実施形態２に係る電力制御システム１０００が実施形態１に係る電力制御システム１０００と異なる部分について説明する。なお、実施形態２に係る電力制御システム１０００は、物理的な構成に関しては、基本的に、実施形態１に係る電力制御システム１０００と同様である。
【０１１１】
まず、図１１を参照して、実施形態２に係る電力モード設定装置３１０の基本的な機能について説明する。電力モード設定装置３１０は、機能的には、決定用情報取得部３０１と、スケジュール決定部３０２と、電力モード設定部３０３と、蓄電量取得部３０５と、予測充電量情報記憶部３０６と、イベント情報記憶部３０７と、を備える。
【０１１２】
決定用情報取得部３０１は、電力モードと電力モードを設定する期間とを含むスケジュールを決定するための情報である決定用情報を取得する。決定用情報取得部３０１は、例えば、宅内インターフェース３６や宅外インターフェース３７を備える。
【０１１３】
スケジュール決定部３０２は、決定用情報取得部３０１により取得された決定用情報に基づいて、スケジュールを決定する。スケジュール決定部３０２は、例えば、ＣＰＵ３１を備える。
【０１１４】
電力モード設定部３０３は、スケジュール決定部３０２により決定されたスケジュールに基づいて、電力制御装置１００に電力モードを設定する。電力モード設定部３０３は、例えば、ＣＰＵ３１と宅外インターフェース３７（又は、宅内インターフェース３６）とを備える。
【０１１５】
蓄電量取得部３０５は、蓄電池２１０に蓄積されている蓄電量を取得する。蓄電量取得部３０５は、例えば、蓄電量測定部１４０により測定された蓄電量を示す情報（以下、適宜「蓄電量情報」という。）を、電力制御装置１００から取得する。蓄電量取得部３０５は、例えば、ＣＰＵ３１と宅外インターフェース３７（又は、宅内インターフェース３６）とを備える。
【０１１６】
決定用情報取得部３０１は、決定用情報として、利用開始時刻を示す情報を取得する。利用開始時刻は、蓄電池２１０から供給された電力を動力源として走行する電気自動車２１１の利用が開始される時刻である。決定用情報取得部３０１は、この利用開始時刻を示す決定用情報を、後述するイベント情報記憶部３０７から取得することができる。
【０１１７】
ここで、スケジュール決定部３０２は、蓄電量取得部３０５により取得された蓄電量に基づいて、蓄電池２１０を利用開始時刻までに目標蓄電量を蓄積した状態にするようにスケジュールを決定する。目標蓄電量は、例えば、電気自動車２１１の利用に支障を与えない程度の蓄電量である。本実施形態では、目標蓄電量は、蓄電池２１０の最大蓄電量であるものとする。
【０１１８】
スケジュール決定部３０２は、蓄電量取得部３０５により取得された蓄電量に基づいて、最終充電開始時刻を予測する。最終充電開始時刻は、蓄電池２１０を利用開始時刻までに目標蓄電量を蓄積した状態にすることが可能な時刻のうち、最も遅い時刻である。スケジュール決定部３０２は、充電開始時刻から利用開始時刻までの期間における電力モードが、蓄電池２１０を充電する電力モードであるスケジュールを決定する。なお、充電開始時刻は、最終充電開始時刻よりも余裕時間だけ前の時刻である。余裕時間は、例えば、１時間程度とすることが好適である。このように、スケジュール決定部３０２は、利用開始時刻までに確実に蓄電池２１０が目標蓄電量を蓄電した状態になるように、ある程度余裕を持ったスケジュールで蓄電池２１０に充電を開始させるスケジュールを決定する。
【０１１９】
予測充電量情報記憶部３０６は、蓄電池２１０に充電可能であると予測される充電量を期間毎に示す予測充電量情報を記憶する。なお、予測充電量情報は、蓄電量測定部１４０により測定された蓄電量、電力計測装置５００により計測された電気機器４００の消費電力、電力計測装置５００により計測された太陽光発電パネル２２０の発電電力、ＲＴＣ３５により取得される時刻情報、フラッシュメモリ３４に記憶された契約電力を示す情報などに基づいて求められる。予測充電量情報記憶部３０６は、例えば、フラッシュメモリ３４を備える。
【０１２０】
ここで、スケジュール決定部３０２は、蓄電量取得部３０５により取得された蓄電量と予測充電量情報記憶部３０６に記憶されている予測充電量情報とに基づいて、最終充電開始時刻を予測することができる。典型的には、スケジュール決定部３０２は、利用開始時刻から遡って予測充電量を積算して積算値を求め、この積算値と現在時刻における充電量との和が目標充電量を超えた時刻を最終充電開始時刻と予測する。
【０１２１】
また、スケジュール決定部３０２は、予め定められた周期で、最終充電開始時刻を予測する処理と、予測した最終充電開始時刻に基づく充電開始時刻を過ぎているか否かを判別する処理とを実行することができる。ここで、スケジュール決定部３０２は、充電開始時刻を過ぎていると判別した場合、現在時刻から利用開始時刻までの期間における電力モードが、蓄電池２１０を充電する電力モードであるスケジュールを決定する。なお、最終充電開始時刻は、一度、予測し、決定すればいいようにも思える。しかしながら、電気機器４００による電力消費や太陽光発電パネル２２０による電力発電により蓄電池２１０に蓄積されている蓄電量は、時間の経過と共に変化するものである。従って、予め定められた周期で、繰り返し、最終充電開始時刻を予測することで、最終充電開始時刻の精度が高まることが期待できる。
【０１２２】
イベント情報記憶部３０７は、イベント情報を記憶する。イベント情報は、電気自動車２１１の利用を開始する利用開始時刻を含む情報である。イベント情報は、カレンダー機能を有するホームコントローラである電力モード設定装置３１０が、ユーザなどから受け付ける情報である。イベント情報記憶部３０７は、例えば、フラッシュメモリ３４を備える。
【０１２３】
次に、図１２を参照して、最大消費電力量と充電可能電力量との関係について説明する。
【０１２４】
最大消費電力量は、ある期間において、過去に電気機器４００により消費された電力の最大値である。最大消費電力量は、例えば、ある時間帯において、過去１週間に電気機器４００により消費された電力の最大値である。つまり、電力消費の多い時間帯における最大消費電力量は、比較的大きな値となる。一方、電力消費の少ない時間帯における最大消費電力量は、比較的小さな値となる。なお、最大消費電力量は、時間帯毎ではなく、例えば、曜日毎の時間帯毎、季節毎の時間帯毎に管理されてもよい。
【０１２５】
充電可能電力量は、ある期間において、蓄電池２１０に充電可能な電力量である。充電可能電力量は、例えば、ある時間帯において、蓄電池２１０に充電可能な電力量である。ここで、充電可能電力量は、基本的に、供給可能な電力量から、消費される電力量を減じた値となる。本実施形態では、充電可能電力量は、契約電力量から最大消費電力量を減じた値であると推定する。
【０１２６】
契約電力量は、電力会社との契約により定められた最大供給可能電力量であり、商用電源２３０から供給される最大の電力量である。なお、契約電力量は、いずれの時間帯でも同じであるものとする。従って、最大消費電力量が多い時間帯の充電可能電力量は小さくなり、最大消費電力量が少ない時間帯の充電可能電力量は大きくなる。
【０１２７】
なお、本実施形態では、理解を容易にするため、供給可能な電力量に、太陽光発電パネル２２０により供給される電力量を含めないものとする。太陽光発電パネル２２０により供給される電力量が推定しやすい場合、供給可能な電力量に、太陽光発電パネル２２０により供給される電力量を含めてもよい。
【０１２８】
図１２は、ｔ時台の最大消費電力量がＷｃｓｍａｘ［ｔ］であり、ｔ時台の契約電力量がＷｓｐｍａｘであり、ｔ時台の充電可能電力量がＷｃｇ［ｔ］であることを示している。
【０１２９】
次に、図１３を参照して、スケジュールが設定されるタイミングについて説明する。
【０１３０】
まず、ホームコントローラである電力モード設定装置３００に、電気自動車２１１を利用するイベントが登録される。ここで、チェック開始時刻（Ｔｃｋｓｔ）になると、現在時刻（Ｔｎｏｗ）が充電開始時刻（Ｔｃｇｓｔ）を超えているか否かのチェックが開始される。チェック開始時刻は、利用開始時刻（Ｔｕｓｅｓｔ）よりも最大充電時間だけ前の時刻である。利用開始時刻は、電気自動車２１１の利用が開始される時刻である。また、最大充電時間は、蓄電池２１０を充電するのに要する最大時間である。言い換えれば、蓄電池２１０の充電を開始してから最大充電時間が経過すれば、蓄電池２１０が目標電力量（典型的には、最大電力量）だけ充電されることが保証される。最大充電時間は、例えば、２４時間に設定することができる。
【０１３１】
また、充電開始時刻は、最終充電開始時刻よりも余裕時間だけ前の時刻である。余裕時間は、利用開始時刻に確実に蓄電池２１０が目標電力量を蓄電している状態にするために設けられる時間である。余裕時間は、例えば、１時間に設定することができる。最終充電開始時刻は、利用開始時刻よりも予測充電時間だけ前の時刻である。予測充電時間は、蓄電池２１０が目標電力量を蓄電している状態にするために要する時間の予測値である。
【０１３２】
従って、予測充電時間を推定することにより充電開始時刻を推定することができる。しかしながら、予測充電時間を求めるために必要である、蓄電池２１０の蓄電量は、時間の経過とともに変化する。そこで、電力モード設定装置３１０は、予め定められた周期で到来するチェック時刻（Ｔｃｋ）毎に、充電開始時刻を求める処理を実行し、チェック時刻が、求めた充電開始時刻を過ぎていると判別した場合、充電開始時刻を確定する。なお、確定した充電開始時刻から利用開始時刻までの間、電力制御装置１００にＥＶ充電モードを設定するスケジュールが設定される。かかる手法によれば、充電開始時刻の精度が高まり、充電開始時刻が早すぎたり遅すぎたりすることが防止される。
【０１３３】
次に、図１４に示すフローチャートを参照して、本実施形態に係る電力モード設定装置３１０が実行する電力モード設定処理について、詳細に説明する。なお、電力モード設定装置３１０は、電源が投入されたことに応答して、図１４に示す電力モード設定処理を開始する。
【０１３４】
まず、ＣＰＵ３１は、初期化処理を実行する（ステップＳ２０１）。例えば、ＣＰＵ３１は、設定用タイマを停止する。
【０１３５】
ＣＰＵ３１は、ステップＳ２０１の処理を完了すると、イベント登録指示があるか否かを判別する（ステップＳ２０２）。例えば、ＣＰＵ３１は、端末装置６００から送信されたイベント登録指示情報が、宅内インターフェース３６や宅外インターフェース３７により受信されたか否かを判別する。なお、イベント登録指示情報は、イベント登録指示を示す情報である。ここで、端末装置６００は、ユーザによるイベント登録指示がタッチスクリーン６８により受け付けられたことに応答して、イベント登録指示情報を宅内インターフェース６６や宅外インターフェース６７を介して電力モード設定装置３００に送信する。
【０１３６】
ＣＰＵ３１は、イベント登録指示があると判別すると（ステップＳ２０２：ＹＥＳ）、イベントを登録する（ステップＳ２０３）。例えば、ＣＰＵ３１は、端末装置６００に、ユーザにイベントを登録させるための画面を表示させ、イベントの登録を受け付けさせる。端末装置６００は、イベントの登録により取得されたイベント情報を、電力モード設定装置３１０に送信する。一方、ＣＰＵ３１は、端末装置６００から送信されたイベント情報を、フラッシュメモリ３４に記憶する。
【０１３７】
ＣＰＵ３１は、イベント登録指示がないと判別した場合（ステップＳ２０２：ＮＯ）、又は、ステップＳ２０３の処理を完了した場合、スケジュール設定中であるか否かを判別する（ステップＳ２０４）。なお、ＣＰＵ３１は、現在時刻が、確定済みの充電開始時刻から利用開始時刻までの間の時刻であると判別した場合、スケジュール設定中であると判別することができる。
【０１３８】
ＣＰＵ３１は、スケジュール設定中でないと判別した場合（ステップＳ２０４：ＮＯ）、電気自動車２１１を利用するイベントの登録があるか否かを判別する（ステップＳ２０５）。ＣＰＵ３１は、例えば、フラッシュメモリ３４に記憶されているイベント情報を参照して、電気自動車２１１を利用するイベントの登録があるか否かを判別することができる。
【０１３９】
ＣＰＵ３１は、電気自動車２１１を利用するイベントの登録があると判別すると（ステップＳ２０５：ＹＥＳ）、スケジュール設定処理を実行する（ステップＳ２０６）。以下、図１５に示すフローチャートを参照して、スケジュール実行処理について、詳細に説明する。
【０１４０】
まず、ＣＰＵ３１は、Ｔｎｏｗ＞Ｔｃｋｓｔであるか否かを判別する（ステップＳ３０１）。つまり、ＣＰＵ３１は、現在時刻（Ｔｎｏｗ）がチェック開始時刻（Ｔｃｋｓｔ）を超えているか否かを判別する。なお、チェック開始時刻（Ｔｃｋｓｔ）＝利用開始時刻（Ｔｕｓｅｓｔ）−２４時間である。なお、利用開始時刻は、フラッシュメモリ３４に記憶されているイベント情報により示されているものとする。
【０１４１】
ＣＰＵ３１は、Ｔｎｏｗ＞Ｔｃｋｓｔであると判別すると（ステップＳ３０１：ＹＥＳ）、Ｔｎｏｗ＝Ｔｃｋであるか否かを判別する（ステップＳ３０２）。つまり、ＣＰＵ３１は、現在時刻（Ｔｎｏｗ）がチェック時刻（Ｔｃｋ）であるか否かを判別する。なお、チェック時刻（Ｔｃｋ）は、チェック開始時刻（Ｔｃｋｓｔ）以降に、定期的に（例えば、１分毎に）到来する時刻である。ＣＰＵ３１は、設定用タイマと同様のタイマを用いて、現在時刻（Ｔｎｏｗ）がチェック時刻（Ｔｃｋ）であるか否かを判別することができる。
【０１４２】
ＣＰＵ３１は、Ｔｎｏｗ＝Ｔｃｋであると判別すると（ステップＳ３０２：ＹＥＳ）、Ｔｃｇｓｔｌａｓｔ←Ｔｕｓｅｓｔを実行する（ステップＳ３０３）。つまり、ＣＰＵ３１は、最終充電開始時刻（Ｔｃｇｓｔｌａｓｔ）に、初期値として、利用開始時刻（Ｔｕｓｅｓｔ）を設定する。
【０１４３】
ＣＰＵ３１は、ステップＳ３０３の処理を完了すると、Ｗｂｕｆ←０を実行する（ステップＳ３０４）。つまり、ＣＰＵ３１は、電力量バッファ値（Ｗｂｕｆ）に、初期値として、０を設定する。
【０１４４】
ＣＰＵ３１は、ステップＳ３０４の処理を完了すると、Ｗｂｕｆ＞Ｗｃｇｍａｘ−Ｗｎｏｗであるか否かを判別する（ステップＳ３０５）。つまり、ＣＰＵ３１は、電力量バッファ値（Ｗｂｕｆ）が、最大充電量（Ｗｃｇｍａｘ）から現在充電量（Ｗｎｏｗ）を減じた値よりも大きいか否かを判別する。
【０１４５】
ＣＰＵ３１は、Ｗｂｕｆ＞Ｗｃｇｍａｘ−Ｗｎｏｗでないと判別すると（ステップＳ３０５：ＮＯ）、Ｔｃｇｓｔｌａｓｔ←Ｔｃｇｓｔｌａｓｔ−１を実行する（ステップＳ３０６）。つまり、ＣＰＵ３１は、最終充電開始時刻（Ｔｃｇｓｔｌａｓｔ）を、１分前の時刻に設定する。
【０１４６】
ＣＰＵ３１は、ステップＳ３０６の処理を完了すると、Ｗｂｕｆ←Ｗｂｕｆ＋Ｗｃｇ［ｔ］／６０を実行する（ステップＳ３０７）。つまり、ＣＰＵ３１は、電力量バッファ値（Ｗｂｕｆ）を、ｔの時間帯における充電可能電力量（Ｗｃｇ［ｔ］）の１分当たりの充電可能電力量分増加させる。なお、ｔは、最終充電開始時刻（Ｔｃｇｓｔｌａｓｔ）の時間帯を示す。例えば、最終充電開始時刻（Ｔｃｇｓｔｌａｓｔ）が１３：４２である場合、ｔは、１３である。ＣＰＵ３１は、ステップＳ３０７の処理を完了すると、ステップＳ３０５に処理を戻す。
【０１４７】
一方、ＣＰＵ３１は、Ｗｂｕｆ＞Ｗｃｇｍａｘ−Ｗｎｏｗであると判別すると（ステップＳ３０５：ＹＥＳ）、Ｔｎｏｗ＞Ｔｃｇｓｔｌａｓｔ−６０であるか否かを判別する（ステップＳ３０８）。つまり、ＣＰＵ３１は、現在時刻（Ｔｎｏｗ）が、最終充電開始時刻（Ｔｃｇｓｔｌａｓｔ）の１時間前の時刻、つまり、充電開始時刻（Ｔｃｇｓｔ）を超えているか否かを判別する。
【０１４８】
ＣＰＵ３１は、Ｔｎｏｗ＞Ｔｃｇｓｔｌａｓｔ−６０であると判別すると（ステップＳ３０８：ＮＯ）、Ｔｃｇｓｔ←Ｔｎｏｗを実行する（ステップＳ３０９）。つまり、ＣＰＵ３１は、充電開始時刻（Ｔｃｇｓｔ）に、現在時刻（Ｔｎｏｗ）を設定する。
【０１４９】
ＣＰＵ３１は、ステップＳ３０９の処理を完了すると、スケジュールを設定する（ステップＳ３１０）。具体的には、ＣＰＵ３１は、充電開始時刻（Ｔｃｇｓｔ）から利用開始時刻（Ｔｕｓｅｓｔ）までの期間、電力制御装置１００にＥＶ充電モードを設定するスケジュールを、採用するスケジュールとして設定する。
【０１５０】
ＣＰＵ３１は、ステップＳ３１０の処理を完了すると、電力制御装置１００にＥＶ充電モードを設定する（ステップＳ３１１）。具体的には、ＣＰＵ３１は、電力制御装置１００に、ＥＶ充電モードを指定する電力モード情報を送信する。
【０１５１】
ＣＰＵ３１は、ステップＳ３１１の処理を完了すると、設定用タイマを起動する（ステップＳ３１２）。ＣＰＵ３１は、Ｔｎｏｗ＞Ｔｃｋｓｔでないと判別した場合（ステップＳ３０１：ＮＯ）、Ｔｎｏｗ＝Ｔｃｋでないと判別した場合（ステップＳ３０２：ＮＯ）、Ｔｎｏｗ＞Ｔｃｇｓｔｌａｓｔ−６０でないと判別した場合（ステップＳ３０８：ＮＯ）、又は、ステップＳ３１２の処理を完了した場合、スケジュール設定処理を完了する。
【０１５２】
ＣＰＵ３１は、スケジュール設定中であると判別した場合（ステップＳ２０４：ＹＥＳ）、Ｔｎｏｗ＞Ｔｕｓｅｓｔであるか否かを判別する（ステップＳ２０７）。つまり、ＣＰＵ３１は、現在時刻（Ｔｎｏｗ）が利用開始時刻（Ｔｕｓｅｓｔ）を超えているか否かを判別する。
【０１５３】
ＣＰＵ３１は、Ｔｎｏｗ＞Ｔｕｓｅｓｔでないと判別した場合（ステップＳ２０７：ＮＯ）、設定用タイマの値が所定値以上であるか否かを判別する（ステップＳ２０８）。ＣＰＵ３１は、設定用タイマの値が所定値以上であると判別した場合（ステップＳ２０８：ＹＥＳ）、ＥＶ充電モードを設定する（ステップＳ２０９）。具体的には、ＣＰＵ３１は、電力制御装置１００に、ＥＶ充電モードを指定する電力モード情報を送信する。ＣＰＵ３１は、ステップＳ２０９の処理を完了すると、設定用タイマを再起動する（ステップＳ２１０）。
【０１５４】
一方、ＣＰＵ３１は、Ｔｎｏｗ＞Ｔｕｓｅｓｔであると判別した場合（ステップＳ２０７：ＹＥＳ）、スケジュールを解除する（ステップＳ２１１）。つまり、ＣＰＵ３１は、電力制御装置１００に、ＥＶ充電モードを指定する電力モード情報を送信する処理を終了する。
【０１５５】
ＣＰＵ３１は、ステップＳ２１１の処理を完了すると、設定用タイマを停止する（ステップＳ２１２）。ＣＰＵ３１は、電気機器４００を利用するイベントの登録がないと判別した場合（ステップＳ２０５：ＮＯ）、ステップＳ２０６のスケジュール設定処理を完了した場合、設定用タイマの値が所定値以上でないと判別した場合（ステップＳ２０８：ＮＯ）、ステップＳ２１０又はステップＳ２１２の処理を完了した場合、ステップＳ２０２に処理を戻す。
【０１５６】
本実施形態では、蓄電池２１０に蓄電されている蓄電量に基づいて、蓄電池２１０を利用開始時刻までに目標蓄電量を蓄積した状態にするようにスケジュールが決定される。従って、本実施形態によれば、自動的に、電気自動車２１１の利用開始時刻までに蓄電池２１０が蓄電された状態になり、ユーザの利便性が向上する。
【０１５７】
また、本実施形態では、蓄電池２１０に蓄電されている蓄電量に基づいて、最終充電開始時刻が予測され、最終充電開始時刻よりも余裕時間だけ前の充電開始時刻から利用開始時刻までの期間における電力モードがＥＶ充電モードであるスケジュールが設定される。従って、本実施形態によれば、自動的に、且つ、確実に、電気自動車２１１の利用開始時刻までに蓄電池２１０が蓄電された状態になり、ユーザの利便性が向上する。
【０１５８】
また、本実施形態では、蓄電池２１０に蓄電されている蓄電量と予測充電量情報とに基づいて、最終充電開始時刻が予測される。従って、本実施形態によれば、自動的に、且つ、適切な期間をかけて、電気自動車２１１の利用開始時刻までに蓄電池２１０が蓄電された状態になり、ユーザの利便性が向上する。
【０１５９】
また、本実施形態では、予め定められた周期で、最終充電開始時刻を予測する処理と、最終充電開始時刻に基づく充電開始時刻を過ぎているか否かを判別する処理が実行され、充電開始時刻を過ぎていると判別された場合、現在時刻から利用開始時刻までの期間における電力モードがＥＶ充電モードであるスケジュールが決定される。従って、本実施形態によれば、自動的に、且つ、さらに適切な期間をかけて、電気自動車２１１の利用開始時刻までに蓄電池２１０が蓄電された状態になり、ユーザの利便性が向上する。
【０１６０】
（変形例）
以上、本発明の実施形態を説明したが、本発明を実施するにあたっては、種々の形態による変形及び応用が可能である。
【０１６１】
本発明において、実施形態１や実施形態２において説明した構成、機能、動作のどの部分を採用するのかは任意である。また、本発明において、上述した構成、機能、動作のほか、更なる構成、機能、動作が採用されてもよい。また、実施形態１や実施形態２において説明した構成、機能、動作は、適宜、組み合わせることができる。
【０１６２】
例えば、電力モード設定装置は、電気自動車２１１の利用が予定されていないとき、ユーザにより選択された運転プランに対応付けられたスケジュールに従い、電気自動車２１１の利用が予定されているとき、利用開始時刻から遡って充電開始時刻までの間にＥＶ充電モードを設定するスケジュールに従ってもよい。
【０１６３】
上記実施形態では、電力制御装置１００に電力モードを設定する電力モード設定装置がホームコントローラである例について説明した。本発明において、電力モード設定装置は、ホームコントローラでなくてもよいことは勿論である。例えば、電力モード設定装置は、電力制御装置１００であってもよいし、電力制御装置１００が備えるリモコンであってもよいし、端末装置６００であってもよい。
【０１６４】
上記実施形態では、蓄電池２１０が、常時、電力制御装置１００に接続されている例について説明した。本発明において、例えば、蓄電池２１０を充電すべき時間帯に、蓄電池２１０が電力制御装置１００に接続されていなかった場合、充電し損ねた蓄電量の予測値がユーザに報知されてもよい。かかる構成によれば、蓄電池２１０をなるべく電力制御装置１００に接続し、効率的な充電が実現されるように、ユーザを動機づけることができる。
【０１６５】
また、蓄電池２１０を充電すべき時間帯の途中で、蓄電池２１０が電力制御装置１００に接続された場合、以後、急速充電に切り替えられてもよい。かかる構成によれば、例えば、電気自動車２１１の利用が予定されている場合、電気自動車２１１の利用開始時刻までに、蓄電池２１０をなるべく多くの蓄電量が充電された状態にすることが期待できる。
【０１６６】
本発明に係る電力モード設定装置の動作を規定する動作プログラムを既存のパーソナルコンピュータや情報端末装置に適用することで、当該パーソナルコンピュータ等を本発明に係る電力モード設定装置として機能させることも可能である。
【０１６７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１６８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１６９】
本発明は、蓄電池による充放電を制御する電力制御システムに適用可能である。
【符号の説明】
【０１７０】
３１，６１  ＣＰＵ、３２，６２  ＲＯＭ、３３，６３  ＲＡＭ、３４，６４  フラッシュメモリ、３５，６５  ＲＴＣ、３６，６６  宅内インターフェース、３７，６７  宅外インターフェース、６８  タッチスクリーン、６９  スピーカ、１００  電力制御装置、１１０  制御部、１２０，１３０  パワーコンディショナ、１４０  蓄電量測定部、１５０  記憶部、１６０  操作部、１７０  通信部、１８０  報知部、２１０  蓄電池、２１１  電気自動車、２２０  太陽光発電パネル、２３０  商用電源、３００，３１０  電力モード設定装置、３０１  決定用情報取得部、３０２  スケジュール決定部、３０３  電力モード設定部、３０４  プラン別情報記憶部、３０５  蓄電量取得部、３０６  予測充電量情報記憶部、３０７  イベント情報記憶部、４００  電気機器、５００  電力計測装置、６００  端末装置、６５０，６６０  画面、６５１，６５２，６６１，６６２  領域、６５３，６６３  ボタン、７００  サーバ、８１０  宅内ネットワーク、８２０  宅外ネットワーク、８３０  ブロードバンドルータ、１０００  電力制御システム
【図１】
2015159369.tif 000003
【図２】
2015159369.tif 000004
【図３】
2015159369.tif 000005
【図４】
2015159369.tif 000006
【図５】
2015159369.tif 000007
【図６】
2015159369.tif 000008
【図７】
2015159369.tif 000009
【図８】
2015159369.tif 000010
【図９】
2015159369.tif 000011
【図１０】
2015159369.tif 000012
【図１１】
2015159369.tif 000013
【図１２】
2015159369.tif 000014
【図１３】
2015159369.tif 000015
【図１４】
2015159369.tif 000016
【図１５】
2015159369.tif 000017
【手続補正書】
【提出日】平成28年5月26日(2016.5.26)
【手続補正１】
【補正対象書類名】明細書
【補正対象項目名】０００７
【補正方法】変更
【補正の内容】
【０００７】
上記目的を達成するために、本発明に係る電力モード設定装置は、
商用電力系統、発電装置または蓄電池から供給される電力と、前記商用電力系統、前記蓄電池または電気機器へ供給する電力とを、設定された電力モードに従って制御する電力制御装置に、前記電力モードを設定する電力モード設定装置であって、
前記電力モードと前記電力モードを設定する期間とを含むスケジュールを決定するための情報である決定用情報を取得する決定用情報取得手段と、
前記決定用情報取得手段により取得された決定用情報に基づいて、前記スケジュールを決定するスケジュール決定手段と、
前記スケジュール決定手段により決定されたスケジュールに基づいて、定期的に、前記電力制御装置に前記電力モードを設定する電力モード設定手段と、を備える。
【手続補正２】
【補正対象書類名】特許請求の範囲
【補正対象項目名】全文
【補正方法】変更
【補正の内容】
【特許請求の範囲】
【請求項１】
商用電力系統、発電装置または蓄電池から供給される電力と、前記商用電力系統、前記蓄電池または電気機器へ供給する電力とを、設定された電力モードに従って制御する電力制御装置に、前記電力モードを設定する電力モード設定装置であって、
前記電力モードと前記電力モードを設定する期間とを含むスケジュールを決定するための情報である決定用情報を取得する決定用情報取得手段と、
前記決定用情報取得手段により取得された決定用情報に基づいて、前記スケジュールを決定するスケジュール決定手段と、
前記スケジュール決定手段により決定されたスケジュールに基づいて、定期的に、前記電力制御装置に前記電力モードを設定する電力モード設定手段と、を備える、
電力モード設定装置。
【請求項２】
運転プランごとにスケジュールが対応付けられたプラン別情報を記憶するプラン別情報記憶手段をさらに備え、
前記決定用情報取得手段は、前記決定用情報として運転プランを示す情報を取得し、
前記スケジュール決定手段は、前記プラン別情報記憶手段に記憶されているプラン別情報に基づいて、前記決定用情報として取得された情報により示される運転プランに対応付けられたスケジュールを、採用するスケジュールとして決定する、
請求項１に記載の電力モード設定装置。
【請求項３】
前記決定用情報取得手段は、前記決定用情報として、ユーザから受け付けた操作に基づいて選択された前記電力モードと前記電力モードを設定する期間とを示す情報を取得する、
請求項１に記載の電力モード設定装置。
【請求項４】
前記蓄電池に蓄積されている蓄電量を取得する蓄電量取得手段をさらに備え、
前記決定用情報取得手段は、前記決定用情報として、前記蓄電池から供給された電力を動力源として走行する電気自動車の利用が開始される利用開始時刻を示す情報を取得し、
前記スケジュール決定手段は、前記蓄電量取得手段により取得された蓄電量に基づいて、前記蓄電池を前記利用開始時刻までに目標蓄電量を蓄積した状態にするスケジュールを決定する、
請求項１から３までのいずれか１項に記載の電力モード設定装置。
【請求項５】
前記スケジュール決定手段は、前記蓄電量取得手段により取得された蓄電量に基づいて、前記蓄電池を前記利用開始時刻までに前記目標蓄電量を蓄積した状態にすることが可能な時刻のうち最も遅い時刻である最終充電開始時刻を予測し、予測した最終充電開始時刻よりも余裕時間だけ前の時刻である充電開始時刻から前記利用開始時刻までの期間における電力モードが、前記蓄電池を充電する電力モードであるスケジュールを決定する、
請求項４に記載の電力モード設定装置。
【請求項６】
前記蓄電池に充電可能であると予測される充電量を期間毎に示す予測充電量情報を記憶する予測充電量情報記憶手段をさらに備え、
前記スケジュール決定手段は、前記蓄電量取得手段により取得された蓄電量と前記予測充電量情報記憶手段に記憶されている予測充電量情報とに基づいて、前記最終充電開始時刻を予測する、
請求項５に記載の電力モード設定装置。
【請求項７】
前記スケジュール決定手段は、予め定められた周期で、前記最終充電開始時刻を予測する処理と、現在時刻が予測した最終充電開始時刻に基づく充電開始時刻を過ぎているか否かを判別する処理とを実行し、前記現在時刻が前記充電開始時刻を過ぎていると判別した場合、前記現在時刻から前記利用開始時刻までの期間における電力モードが、前記蓄電池を充電する電力モードであるスケジュールを決定する、
請求項５又は６に記載の電力モード設定装置。
【請求項８】
商用電力系統、発電装置または蓄電池から供給される電力と、前記商用電力系統、前記蓄電池または電気機器へ供給する電力とを、設定された電力モードに従って制御する電力制御装置と、前記電力制御装置に前記電力モードを設定する電力モード設定装置とを備える電力制御システムであって、
前記電力モード設定装置は、
前記電力モードと前記電力モードを設定する期間とを含むスケジュールを決定するための情報である決定用情報を取得する決定用情報取得手段と、
前記決定用情報取得手段により取得された決定用情報に基づいて、前記スケジュールを決定するスケジュール決定手段と、
前記スケジュール決定手段により決定されたスケジュールに基づいて、定期的に、前記電力制御装置に前記電力モードを設定する電力モード設定手段と、を備え、
前記電力制御装置は、
前記電力モード設定手段により設定された電力モードに従って、前記供給される電力と、前記供給する電力とを制御する、
電力制御システム。
【請求項９】
商用電力系統、発電装置または蓄電池から供給される電力と、前記商用電力系統、前記蓄電池または電気機器へ供給する電力とを、設定された電力モードに従って制御する電力制御装置に、前記電力モードを設定する電力モード設定方法であって、
前記電力モードと前記電力モードを設定する期間とを含むスケジュールを決定するための情報である決定用情報を取得する決定用情報取得ステップと、
前記決定用情報取得ステップで取得された決定用情報に基づいて、定期的に、前記電力制御装置に前記電力モードを設定する電力モード設定ステップと、を備える、
電力モード設定方法。
【請求項１０】
コンピュータを、
商用電力系統、発電装置または蓄電池から供給される電力と、前記商用電力系統、前記蓄電池または電気機器へ供給する電力とを、設定された電力モードに従って制御する電力制御装置に、前記電力モードを設定する電力モード設定装置として機能させるプログラムであって、
前記コンピュータを、
前記電力モードと前記電力モードを設定する期間とを含むスケジュールを決定するための情報である決定用情報を取得する決定用情報取得手段、
前記決定用情報取得手段により取得された決定用情報に基づいて、前記スケジュールを決定するスケジュール決定手段、
前記スケジュール決定手段により決定されたスケジュールに基づいて、定期的に、前記電力制御装置に前記電力モードを設定する電力モード設定手段、として機能させる、
プログラム。
【国際調査報告】
2015159369.tif 000018
2015159369.tif 000019
2015159369.tif 000020
2015159369.tif 000021